(57)【特許請求の範囲】
【請求項１】
表面が副走査方向に駆動する潜像担持体と、振動する偏向ミラー面によって光源からの光を前記副走査方向とほぼ直交する主走査方向に走査可能に構成され、前記光を前記潜像担持体に照射して潜像を形成する潜像形成部と、前記潜像の現像を行う現像部とを備え、
前記副走査方向にｎ個の画素（ｎは４以上の偶数）を有し且つ前記主走査方向にｍ個の画素を有するｎ行ｍ列のｎ×ｍセルを前記潜像担持体に仮想的に配列するとともに、各セル毎に該セルを構成する複数の画素のうちいずれの画素に対して潜像形成及び現像を行なうかを、該セルに再現する階調値と前記複数の画素それぞれに対応する閾値を有するディザマトリックスの数値とを対比することにより決定する画像処理部を備え、
前記偏向ミラー面によって前記光を前記主走査方向へ往復走査して前記潜像を形成する手段と、
前記画像処理部による決定結果に基づいて、前記セルを構成する複数画素のうち階調値に応じた画素にのみ前記潜像形成部による潜像形成及び前記現像部による現像を行うことで階調再現を実行する手段とを備え、
前記画像処理部は、
前記セルの各画素に対応してｎ×ｍ個の前記閾値を有するｎ行ｍ列のｎ×ｍマトリックスであるとともに、前記ｎ×ｍ個の閾値のうち小さい方から数えてｋ番目（ｍ≦ｋ≦ｎ×ｍ／２）の第１特定閾値以下の値を有するｋ個の閾値の全てが奇数行のみにある或いはｋ個の閾値の全てが偶数行のみにある第１ディザマトリックスと、
前記セルの各画素に対応してｎ×ｍ個の前記閾値を有するｎ行ｍ列のｎ×ｍマトリックスである第２ディザマトリックスとを有し、
前記潜像担持体上における前記光の軌跡の略中心線である走査線の前記主走査方向における振幅中心を幅中心として前記主走査方向に所定幅を有する中央部に位置する中央部セルと前記第２ディザマトリックスとを対比する一方、前記主走査方向において前記中央部の両端側に位置する端部セルと前記第１ディザマトリックスとを対比することで、各セルを構成する複数の画素のうちいずれの画素に対して潜像形成及び現像を行なうかを決定する
ことを特徴とする画像形成装置。
【請求項２】
前記第２ディザマトリックスは、前記ｎ×ｍ個の閾値のうち最小の閾値と、前記ｎ×ｍ個の閾値のうち小さい方から数えて２番目の閾値とが前記副走査方向に相互に隣接して配置されている請求項１に記載の画像形成装置。
【請求項３】
表面が副走査方向に駆動する潜像担持体と、振動する偏向ミラー面によって光源からの光を前記副走査方向とほぼ直交する主走査方向に走査可能に構成され、前記光を前記潜像担持体に照射して潜像を形成する潜像形成部と、前記潜像の現像を行う現像部とを備え、
前記副走査方向にｎ個の画素（ｎは４以上の偶数）を有し且つ前記主走査方向にｍ個の画素を有するｎ行ｍ列のｎ×ｍセルを前記潜像担持体に仮想的に配列するとともに、各セル毎に該セルを構成する複数の画素のうちいずれの画素に対して潜像形成及び現像を行なうかを、該セルに再現する階調値と前記複数の画素それぞれに対応する閾値を有するディザマトリックスの数値とを対比することにより決定する画像処理部を備え、
前記偏向ミラー面によって前記光を前記主走査方向へ往復走査して前記潜像を形成する手段と、
前記画像処理部による決定結果に基づいて、前記セルを構成する複数画素のうち階調値に応じた画素にのみ前記潜像形成部による潜像形成及び前記現像部による現像を行うことで、階調再現を実行する手段とを備え、
前記画像処理部は、
前記セルの各画素に対応してｎ×ｍ個の前記閾値を有するｎ行ｍ列のｎ×ｍマトリックスであるとともに、前記ｎ×ｍ個の閾値のうち小さい方から数えて（ｎ×ｍ／２）番目の第１特定閾値以下の値を有する（ｎ×ｍ／２）個の閾値の全てが奇数行のみにある或いは（ｎ×ｍ／２）個の閾値の全てが偶数行のみにある第１ディザマトリックスと、
前記セルの各画素に対応してｎ×ｍ個の前記閾値を有するｎ行ｍ列のｎ×ｍマトリックスである第２ディザマトリックスとを有し、
前記潜像担持体上における前記光の軌跡の略中心線である走査線の前記主走査方向における振幅中心を幅中心として前記主走査方向に所定幅を有する中央部に位置する中央部セルと前記第２ディザマトリックスとを対比する一方、前記主走査方向において前記中央部の両端側に位置する端部セルと前記第１ディザマトリックスとを対比することで、各セルを構成する複数の画素のうちいずれの画素に対して潜像形成及び現像を行なうかを決定する
ことを特徴とする画像形成装置。
【発明の詳細な説明】
【技術分野】
【０００１】
この発明は、副走査方向に駆動される潜像担持体表面に光ビームを副走査方向に対してほぼ直行する主走査方向に走査して画像を形成する画像形成装置に関するものである。
【背景技術】
【０００２】
この種の画像形成装置は、潜像担持体、潜像形成部および現像部を有するとともに、次のようにして潜像担持体上にトナー像を形成する。すなわち、この画像形成装置では、潜像担持体表面に形成すべきトナー像に関連する画像データに対して階調再現処理などの画像処理を加えて画像信号が形成され、潜像形成部に与えられる。この潜像形成部では、該画像信号に基づき光源からの光ビームが変調されるとともに、該変調光ビームが偏向器により主走査方向に走査される。そして、走査光ビームは画像データに対応して潜像担持体表面にスポット状に照射されてスポット潜像を形成する。なお、この明細書では潜像担持体表面に光ビームが照射されて該表面に形成されるスポット領域を単に「スポット」と称する。
【０００３】
こうして潜像担持体表面へのスポット形成によってスポット潜像が形成され、さらに現像部により現像されて該スポット潜像位置にドットが形成されてトナー像が形成される。このように画像形成装置では、複数の画素により画像を構成しているが、画像データに応じて複数の画素のうち全部または一部についてのみスポット潜像が潜像担持体表面に形成されて画像データに対応する潜像が形成される。
【０００４】
また、偏向器の小型化および高速化を図るべく、偏向ミラーを振動させて偏向器として用いることが従来より提案されている（特許文献１参照）。すなわち、この装置では、トーションバーにより支持された偏向ミラーを振動させるとともに、光源から照射される光ビームを該偏向ミラーにより反射して潜像担持体表面上に往復走査させている。
【０００５】
【特許文献１】特開２００２−１８２１４７号公報（第３頁および図９、１０）
【発明の開示】
【発明が解決しようとする課題】
【０００６】
このような画像形成装置においては、光源からの光ビームを主走査方向の往路および復路の両方向において潜像担持体上に走査させることができる。しかしながら、このように偏向ミラーを用いて往路および復路の両方に光ビームを走査させる装置において、ディザマトリックスを用いて階調再現を実行するにあたって次のような問題があった。すなわち、ディザマトリックスを用いた階調再現では、複数の画素を用いて１つのセルを構成するともに、ディザマトリックスに従って、セルが有する複数の画素のうち階調値に応じた画素にのみスポット潜像形成および現像を行ってトナー像を形成する（以下、１画素に対して形成されるトナー像を「微小ドット」と呼ぶ）。これにより、セル面積のうち微小ドットが占める面積の比率（微小ドット面積率）を階調値に応じて変化させて階調を実現している。つまり、階調レベルが低い場合は微小ドット面積率を低くするとともに、階調の増加に伴って微小ドット面積率を増加させ、階調レベルが高い場合は微小ドット面積率を高くする。このように、微小ドット面積率により実現される階調レベルが決まることとなる。
【０００７】
しかしながら、上述のような画像形成装置では、副走査方向に駆動される潜像担持体表面に対して光ビームをスポット状に結像しながら主走査方向の両方向に走査させているため、副走査方向における互いに隣接する走査線の間の距離（走査ピッチ）は一定でなく、副走査方向におけるスポットの重なりの程度にばらつきが生じることとなる。ここで、走査線とは潜像担持体表面を含む面における光ビームの軌跡の略中心線を指す。つまり、副走査方向の走査ピッチの狭いところでは、副走査方向のスポットの重なりは大きくなるのに対し、副走査方向の走査ピッチの広いところでは、副走査方向のスポットの重なりは小さくなる。よって、副走査方向に互いに隣接する２つの画素それぞれに対してスポット潜像形成及び現像を実行して微小ドットを形成した場合、走査ピッチの狭いところでは副走査方向に隣接する２つの微小ドットからなるトナー像は比較的小さい一方、走査ピッチの広いところではトナー像は比較的大きい。その結果、同じ階調に対応するトナー像を形成しようとしているにもかかわらず、トナー像が形成される位置における走査ピッチが、広いか狭いかによって微小ドット面積率が変動してしまう。よって、後に詳述するように、副走査方向に４以上の偶数画素のセルを使用した場合、同じ階調レベルの中間調を形成しているにもかかわらず、主走査方向の両端間で濃度差ができるという画像弊害が発生する場合があった。そして、このような画像弊害は、特に低濃度領域での階調再現に大きな影響を及ぼす。
【０００８】
この発明は、上記課題に鑑みなされたものであり、副走査方向に駆動される潜像担持体表面に光ビームをスポット状に照射しながら偏向ミラー面により主走査方向の往復走査して潜像を形成する画像形成装置において、副走査方向に４以上の偶数画素のセルに対してディザマトリックスを用いて階調再現を行う場合であっても上記低濃度領域における画像弊害を抑制して、良好な階調再現を実現する技術を提供することを目的としている。
【課題を解決するための手段】
【０００９】
この発明に係る画像形成装置の第１の態様は、上記目的を達成するために、表面が副走査方向に駆動する潜像担持体と、振動する偏向ミラー面によって光源からの光を副走査方向とほぼ直交する主走査方向に走査可能に構成され、光を潜像担持体に照射して潜像を形成する潜像形成部と、潜像の現像を行う現像部とを備え、副走査方向にｎ個の画素（ｎは４以上の偶数）を有し且つ主走査方向にｍ個の画素を有するｎ行ｍ列のｎ×ｍセルを潜像担持体に仮想的に配列するとともに、各セル毎に該セルを構成する複数の画素のうちいずれの画素に対して潜像形成及び現像を行なうかを、該セルに再現する階調値と複数の画素それぞれに対応する閾値を有するディザマトリックスの数値とを対比することにより決定する画像処理部を備え、偏向ミラー面によって光を主走査方向へ往復走査して潜像を形成する手段と、画像処理部による決定結果に基づいて、セルを構成する複数画素のうち階調値に応じた画素にのみ潜像形成部による潜像形成及び現像部による現像を行うことで階調再現を実行する手段とを備え、画像処理部は、セルの各画素に対応してｎ×ｍ個の閾値を有するｎ行ｍ列のｎ×ｍマトリックスであるとともに、ｎ×ｍ個の閾値のうち小さい方から数えてｋ番目（ｍ≦ｋ≦ｎ×ｍ／２）の第１特定閾値以下の値を有するｋ個の閾値の全てが奇数行のみにある或いはｋ個の閾値の全てが偶数行のみにある第１ディザマトリックスと、セルの各画素に対応してｎ×ｍ個の閾値を有するｎ行ｍ列のｎ×ｍマトリックスである第２ディザマトリックスとを有し、潜像担持体上における光の軌跡の略中心線である走査線の主走査方向における振幅中心を幅中心として主走査方向に所定幅を有する中央部に位置する中央部セルと第２ディザマトリックスとを対比する一方、主走査方向において中央部の両端側に位置する端部セルと第１ディザマトリックスとを対比することで、各セルを構成する複数の画素のうちいずれの画素に対して潜像形成及び現像を行なうかを決定することを特徴としている。
【００１０】
このように構成された発明では、潜像担持体表面に振動する偏向ミラー面によって光ビームを、主走査方向に往復走査させている。さらに、該潜像担持体表面は副走査方向に駆動されている。従って、潜像担持体表面に対して走査線は図５に示す一点鎖線のようになる。ここで、図５は、走査線と潜像担持体表面との関係を示す模式図である。まず、走査ピッチの副走査方向おける変動に注目すると、図５の左端部及び右端部のいずれにおいても、狭い走査ピッチ（狭ピッチ）と広い走査ピッチ（広ピッチ）とが交互に現れる。次に、走査ピッチの主走査方向における変動に注目する。ここで、同図中の主走査方向に伸びる矢印Drに注目すると、同図の左端部では広ピッチである走査ピッチが矢印Dr方向に進むに連れて狭くなっていき、同図の右端部では狭ピッチとなる。したがって、例えば、副走査方向に４画素で主走査方向に４画素の４×４セルを用いて中間調のトナー像を形成する場合、次に示すような画像弊害が発生する場合がある。
【００１１】
図７は、本発明の課題の説明図であり、２つの微小ドットにより中間調を形成する場合を示している。また、同図の左右に並ぶセルは、それらの副走査方向における位置は同じである。さらに、図５またはＸ２の左右に伸びる主走査方向において、一方は左端部に他方は右端部に位置するセルにそれぞれ対応する。潜像担持体表面を走査する走査線には、図５を用いて説明したような性質があるため、左端部のセルを構成する画素を走査する走査線の走査ピッチが、副走査方向に向いて「狭ピッチ」「広ピッチ」「狭ピッチ」の順に並んでいる場合、右端部のセルを構成する画素を走査する走査線間の走査ピッチは、副走査方向に向いて「広ピッチ」「狭ピッチ」「広ピッチ」の順に並ぶこととなる。よって、図７の「潜像形成」欄に示すように、副走査方向に互いに隣接する２つの画素に対してスポット潜像を形成した場合、左端部では２つのスポット潜像の重なりが比較的小さい一方、右端部では２つのスポット潜像の重なりが比較的大きい。そして、このようなスポット潜像を現像することで、図７の「微小ドット形成」欄に示すような微小ドットが得られる。「微小ドット形成」欄に示すように、スポット潜像の重なりに応じて、左端部のセルでは微小ドット面積率が比較的高い一方、右端部のセルでは微小ドット面積率が比較的低くなる。その結果、同じ階調値を有するトナー像を形成しようとしているにもかかわらず、左右それぞれに形成されるトナー像間で濃度差ができるという画像弊害が発生する場合がある。そして、このような画像弊害は、特に低濃度領域での階調再現に大きな影響を及ぼす。
【００１２】
これに対して本発明では、セルの各画素に対応してｎ×ｍ個の閾値を有するｎ行ｍ列のｎ×ｍマトリックスであるとともに、ｎ×ｍ個の閾値のうち小さい方から数えてｋ番目（ｍ≦ｋ≦ｎ×ｍ／２）の第１特定閾値以下の値を有するｋ個の閾値の全てが奇数行のみにある或いはｋ個の閾値の全てが偶数行のみにある第１ディザマトリックスと、セルの各画素に対応してｎ×ｍ個の閾値を有するｎ行ｍ列のｎ×ｍマトリックスである第２ディザマトリックスとを有している。そして、潜像担持体上における光の軌跡の略中心線である走査線の主走査方向における振幅中心を幅中心として主走査方向に所定幅を有する中央部に位置する中央部セルと第２ディザマトリックスとを対比する一方、主走査方向において中央部の両端側に位置する端部セルと第１ディザマトリックスとを対比することで、各セルを構成する複数の画素のうちいずれの画素に対して潜像形成及び現像を行なうかを決定している。つまり、図５を用いて説明すると、副走査方向における走査ピッチの変動が比較的緩やかな中央部と、上述したように副走査方向に「狭ピッチ」と「広ピッチ」とが交互に現れて走査ピッチの変動が激しい両端部（図７における「左端部」と「右端部」に対応）とでディザマトリックスを使い分けることとしている。
【００１３】
そして、上述のとおり両端部に対して使用される第１ディザマトリックスを、セルの各画素に対応してｎ×ｍ個の閾値を有するｎ行ｍ列のｎ×ｍマトリックスであるとともに、ｎ×ｍ個の閾値のうち小さい方から数えてｋ番目（ｍ≦ｋ≦ｎ×ｍ／２）の第１特定閾値以下の値を有するｋ個の閾値の全てが奇数行のみにある或いはｋ個の閾値の全てが偶数行のみにあるように構成している。よって、特定閾値以下の階調値に対応するトナー像を形成するために潜像担持体表面に形成されるスポット潜像は、副走査方向に互いに隣接することが無い。よって、図７を用いて上述したような副走査方向に隣接するスポット潜像の重なりの程度が、主走査方向における両端部（図７中の「左端部」と「右端部」）とで異なることに起因した画像弊害の発生を、少なくとも特定閾値以下の階調値に対応する低濃度領域については防止することが可能となる。
【００１４】
また、この発明に係る画像形成装置の第２の態様は、上記目的を達成するために、表面が副走査方向に駆動する潜像担持体と、振動する偏向ミラー面によって光源からの光を副走査方向とほぼ直交する主走査方向に走査可能に構成され、光を潜像担持体に照射して潜像を形成する潜像形成部と、潜像の現像を行う現像部とを備え、副走査方向にｎ個の画素（ｎは４以上の偶数）を有し且つ主走査方向にｍ個の画素を有するｎ行ｍ列のｎ×ｍセルを潜像担持体に仮想的に配列するとともに、各セル毎に該セルを構成する複数の画素のうちいずれの画素に対して潜像形成及び現像を行なうかを、該セルに再現する階調値と複数の画素それぞれに対応する閾値を有するディザマトリックスの数値とを対比することにより決定する画像処理部を備え、偏向ミラー面によって光を主走査方向へ往復走査して潜像を形成する手段と、画像処理部による決定結果に基づいて、セルを構成する複数画素のうち階調値に応じた画素にのみ潜像形成部による潜像形成及び現像部による現像を行うことで、階調再現を実行する手段とを備え、画像処理部は、セルの各画素に対応してｎ×ｍ個の閾値を有するｎ行ｍ列のｎ×ｍマトリックスであるとともに、ｎ×ｍ個の閾値のうち小さい方から数えて（ｎ×ｍ／２）番目の第１特定閾値以下の値を有する（ｎ×ｍ／２）個の閾値の全てが奇数行のみにある或いは（ｎ×ｍ／２）個の閾値の全てが偶数行のみにある第１ディザマトリックスと、セルの各画素に対応してｎ×ｍ個の閾値を有するｎ行ｍ列のｎ×ｍマトリックスである第２ディザマトリックスとを有し、潜像担持体上における光の軌跡の略中心線である走査線の主走査方向における振幅中心を幅中心として主走査方向に所定幅を有する中央部に位置する中央部セルと第２ディザマトリックスとを対比する一方、主走査方向において中央部の両端側に位置する端部セルと第１ディザマトリックスとを対比することで、各セルを構成する複数の画素のうちいずれの画素に対して潜像形成及び現像を行なうかを決定することを特徴としている。
【００１５】
つまり、この第２の態様においては、主走査方向における両端部に対して使用される第１ディザマトリックスは、ｎ×ｍ個の閾値のうち小さい方から数えて（ｎ×ｍ／２）番目の閾値を特定閾値とするとともに、特定閾値以下の値を有する（ｎ×ｍ／２）個の閾値の全てが奇数行のみにある或いは（ｎ×ｍ／２）個の閾値の全てが偶数行のみにあるよう構成されている。従って、ｎ×ｍ個の閾値のうち小さい方から数えて（ｎ×ｍ／２）番目の特定閾値以下の階調値に対応する濃度領域について、上述の画像弊害の発生を防止することが可能となり。よって、低濃度領域による上記画像弊害の発生をより確実に防止することが可能となり好適である。
【発明を実施するための最良の形態】
【００１６】
＜第１実施形態＞
図１は本発明にかかる画像形成装置の一実施形態を示す図である。また、図２は図１の画像形成装置の電気的構成を示すブロック図である。この画像形成装置は、いわゆるタンデム方式のカラープリンタであり、潜像担持体としてイエロー（Ｙ）、マゼンタ（Ｍ）、シアン（Ｃ）、ブラック（Ｋ）の４色の感光体２Ｙ、２Ｍ、２Ｃ、２Ｋを装置本体５内に並設している。そして、各感光体２Ｙ、２Ｍ、２Ｃ、２Ｋ上のトナー像を重ね合わせてフルカラー画像を形成したり、ブラック（Ｋ）のトナー像のみを用いてモノクロ画像を形成する装置である。すなわち、この画像形成装置では、ユーザからの画像形成要求に応じてホストコンピュータなどの外部装置から印字指令がメインコントローラ１１に与えられると、このメインコントローラ１１のＣＰＵ１１１からの印字指令に応じてエンジンコントローラ１０がエンジン部ＥＧの各部を制御して複写紙、転写紙、用紙およびＯＨＰ用透明シートなどのシートＳに印字指令に対応する画像を形成する。
【００１７】
このエンジン部ＥＧでは、４つの感光体２Ｙ、２Ｍ、２Ｃ、２Ｋのそれぞれに対応して帯電ユニット、現像ユニット（現像部）、露光ユニット（潜像形成部）およびクリーニング部が設けられている。このように、各トナー色ごとに、感光体、帯電ユニット、現像ユニット、露光ユニットおよびクリーニング部を備えて該トナー色のトナー像を形成する画像形成手段が設けられている。なお、これらの画像形成手段（感光体、帯電ユニット、現像ユニット、露光ユニットおよびクリーニング部）の構成はいずれの色成分についても同一であるため、ここではイエローに関する構成について説明し、その他の色成分については相当符号を付して説明を省略する。
【００１８】
感光体２Ｙは図１の矢印方向（副走査方向）に回転自在に設けられているとともに、該矢印方向に駆動される。このように駆動される感光体２Ｙの周りにその回転方向に沿って、帯電ユニット３Ｙ、現像ユニット４Ｙおよびクリーニング部（図示省略）がそれぞれ配置されている。帯電ユニット３Ｙは例えばスコロトロン帯電器で構成されており、帯電制御部１０３からの帯電バイアス印加によって感光体２Ｙの外周面を所定の表面電位に均一に帯電させる。そして、この帯電ユニット３Ｙによって帯電された感光体２Ｙの外周面に向けて露光ユニット６Ｙから光ビームＬyが照射される。これによって印字指令に含まれるイエロー画像データに対応する静電潜像が感光体２Ｙ上に形成される。そして、露光ユニット６Ｙは、露光制御部１０２Ｙ（図４）からの制御指令に応じて動作する。
【００１９】
図３は図１の画像形成装置に装備された露光ユニットの構成を示す主走査断面図ある。以下、図２、３を参照しつつ、露光ユニット６の構成および動作について詳述する。なお、露光ユニット６の構成はいずれの色成分についても同一であるため、ここではイエローに関する構成について説明し、その他の色成分については相当符号を付して説明を省略する。
【００２０】
この露光ユニット６Ｙ（６Ｍ，６Ｃ，６Ｋ）は露光筐体６１を有している。そして、露光筐体６１に単一のレーザー光源６２Ｙ（光源）が固着されており、レーザー光源６２Ｙから光ビームを射出可能となっている。このレーザー光源６２Ｙは、図２に示す露光制御部１０２Ｙの光源駆動部（図示省略）と電気的に接続されている。そして、後述するように画像信号に応じて光源駆動部がレーザー光源６２ＹをＯＮ／ＯＦＦ制御してレーザー光源６２Ｙから画像データに対応して変調された光ビームが射出される。
【００２１】
露光筐体６１の内部には、レーザー光源６２Ｙからの光ビームを感光体２Ｙの表面（図示省略）に走査露光するために、コリメータレンズ６３１、シリンドリカルレンズ６３２、偏向器６５、走査レンズ６６が設けられている。すなわち、レーザー光源６２Ｙからの光ビームは、コリメータレンズ６３１により適当な大きさのコリメート光にビーム整形された後、副走査方向Ｙにのみパワーを有するシリンドリカルレンズ６３２に入射される。そして、シリンドリカルレンズ６３２を調整することでコリメート光は副走査方向Ｙにおいて偏向器６５の偏向ミラー面６５１付近で結像される。このように、この実施形態では、コリメータレンズ６３１およびシリンドリカルレンズ６３２がレーザー光源６２Ｙからの光ビームを整形するビーム整形系６３として機能している。
【００２２】
この偏向器６５は半導体製造技術を応用して微小機械を半導体基板上に一体形成するマイクロマシニング技術を用いて形成されるものであり、共振振動する振動ミラーで構成されている。すなわち、偏向器６５では、共振振動する偏向ミラー面６５１により光ビームを主走査方向Ｘに偏向可能となっている。より具体的には、偏向ミラー面６５１は主走査方向Ｘとほぼ直交する揺動軸（ねじりバネ）周りに揺動自在に軸支されるとともに、作動部（図示省略）から与えられる外力に応じて揺動軸周りに正弦揺動する。この作動部は露光制御部１０２のミラー駆動部（図示省略）からのミラー駆動信号に基づき偏向ミラー面６５１に対して静電気的、電磁気的あるいは機械的な外力を作用させて偏向ミラー面６５１をミラー駆動信号の周波数で揺動させる。なお、作動部による駆動方式は静電吸着、電磁気力あるいは機械力などのいずれの方式を採用してもよく、それらの駆動方式は周知であるため、ここでは説明を省略する。
【００２３】
偏向ミラー面６５１により偏向された光ビームは、走査レンズ６６を介して感光体２Ｙの表面に走査される。また、上述の通り偏向ミラー面６５１は、遥動軸周りに正弦遥動する。したがって、光ビームは感光体２Ｙの表面に主走査方向Ｘの第１方向（+Ｘ）または該第１方向（+Ｘ）と逆の第２方向（-Ｘ）に往復走査されることとなる。そして、このように走査される光ビームが感光体表面（潜像担持体表面）をスポット状に照射することで、該スポットにスポット潜像が形成される。かかるスポット潜像は、形成すべき画像に応じて複数形成される。また、走査方向（+Ｘ）の上流側において走査光ビームの走査経路の端部を折り返しミラー６９により水平同期センサ６０に導いている。かかる水平同期センサ６０は、主走査方向に往復走査される光ビームの１周期毎に光ビームを検出し、水平同期信号Ｈsyncを出力する。そして、該水平同期信号Ｈsyncに基づいて潜像形成動作が制御されることとなる。
【００２４】
図１，２に戻って説明を続ける。上述の露光ユニット６Ｙにより形成されたスポット潜像は、現像ユニット４Ｙ（現像部）によってトナー現像される。この現像ユニット４Ｙはイエロートナーを内蔵している。そして、現像器制御部１０４から現像バイアスが現像ローラ４１Ｙに印加されると、現像ローラ４１Ｙ上に担持されたトナーが感光体２Ｙの表面各部にその表面電位に応じて部分的に付着する。その結果、感光体２Ｙ上のスポット潜像がイエローのトナー像として顕像化される。なお、現像ローラ４１Ｙに与える現像バイアスとしては、直流電圧、もしくは直流電圧に交流電圧を重畳したもの等を用いることができるが、特に感光体２Ｙと現像ローラ４１Ｙとを離間配置し、両者の間でトナーを飛翔させることでトナー現像を行う非接触現像方式の画像形成装置では、効率よくトナーを飛翔させるために直流電圧に対して正弦波、三角波、矩形波等の交流電圧を重畳した電圧波形とすることが好ましい。
【００２５】
現像ユニット４Ｙで現像されたイエロートナー像は、一次転写領域ＴＲy1で転写ユニット７の中間転写ベルト７１上に一次転写される。また、イエロー以外の色成分についても、イエローと全く同様に構成されており、感光体２Ｍ、２Ｃ、２Ｋ上にマゼンタトナー像、シアントナー像、ブラックトナー像がそれぞれ形成されるとともに、一次転写領域ＴＲm1、ＴＲc1、ＴＲk1でそれぞれ中間転写ベルト７１上に一次転写される。
【００２６】
この転写ユニット７は、２つのローラ７２、７３に掛け渡された中間転写ベルト７１と、ローラ７２を回転駆動することで中間転写ベルト７１を所定の回転方向Ｒ2に回転させるベルト駆動部（図示省略）とを備えている。また、中間転写ベルト７１を挟んでローラ７３と対向する位置には、該ベルト７１表面に対して不図示の電磁クラッチにより当接・離間移動可能に構成された二次転写ローラ７４が設けられている。そして、カラー画像をシートＳに転写する場合には、一次転写タイミングを制御することで各トナー像を重ね合わせてカラー画像を中間転写ベルト７１上に形成するとともに、カセット８から取り出されて中間転写ベルト７１と二次転写ローラ７４との間の二次転写領域ＴＲ2に搬送されてくるシートＳ上にカラー画像を二次転写する。一方、モノクロ画像をシートＳに転写する場合には、ブラックトナー像のみを感光体２Ｋに形成するとともに、二次転写領域ＴＲ2に搬送されてくるシートＳ上にモノクロ画像を二次転写する。また、こうして画像の２次転写を受けたシートＳは定着ユニット９を経由して装置本体の上面部に設けられた排出トレイ部に向けて搬送される。
【００２７】
なお、中間転写ベルト７１へトナー像を一次転写した後の各感光体２Ｙ、２Ｍ、２Ｃ、２Ｋは、不図示の除電手段によりその表面電位がリセットされ、さらに、その表面に残留したトナーがクリーニング部により除去された後、帯電ユニット３Ｙ、３Ｍ、３Ｃ、３Ｋにより次の帯電を受ける。
【００２８】
また、ローラ７２の近傍には、転写ベルトクリーナ７５、および垂直同期センサ７７（図２）が配置されている。これらのうち、クリーナ７５は図示を省略する電磁クラッチによってローラ７２に対して近接・離間移動可能となっている。そして、ローラ７２側に移動した状態でクリーナ７５のブレードがローラ７２に掛け渡された中間転写ベルト７１の表面に当接し、二次転写後に中間転写ベルト７１の外周面に残留付着しているトナーを除去する。また、垂直同期センサ７７は、中間転写ベルト７１の基準位置を検出するためのセンサであり、中間転写ベルト７１の副走査方向への回転駆動に関連して出力される同期信号、つまり垂直同期信号Ｖsyncを得るための垂直同期センサとして機能する。そして、この装置では、各部の動作タイミングを揃えるとともに各色のトナー像を正確に重ね合わせるために、装置各部の動作はこの垂直同期信号Ｖsyncに基づいて制御される。また、ローラ７２，７３の間には、色ずれセンサ７８が配置されており、各色のトナー像の色ずれ量を検出する。
【００２９】
なお、図２において、符号１１０はホストコンピュータなどの外部装置よりインターフェース１１２を介して与えられた画像データを記憶するためにメインコントローラ１１に設けられた画像メモリであり、符号１０６はＣＰＵ１０１が実行する演算プログラムやエンジン部ＥＧを制御するための制御データなどを記憶するためのＲＯＭ、また符号１０７はＣＰＵ１０１における演算結果やその他のデータを一時的に記憶するＲＡＭである。
【００３０】
次に、本発明にかかる画像形成装置において実行される信号処理について説明する。図４は、本発明にかかる画像形成装置の信号処理を示す図である。この画像形成装置では、ホストコンピュータ１００などの外部装置から画像信号が入力されると、メインコントローラ１１がその画像信号に対し所定の信号処理を施す。メインコントローラ１１は、色変換部１１３、画像処理ユニット１１５、２種類のラインバッファ１１６Ａ，１１６Ｂ、方向切換部１１６Ｃおよびパルス変調部１１７などの機能ブロックを備えている。なお、これらの各機能ブロックはハードウェアにより構成されてもよく、またＣＰＵ１１１、１０１により実行されるソフトウェアによって実現されてもよい。
【００３１】
ホストコンピュータ１００から画像信号が与えられたメインコントローラ１１では、色変換部１１３がその画像信号に対応する画像内の各画素のＲＧＢ成分の階調レベルを示したＲＧＢ階調データを、対応するＣＭＹＫ成分の階調レベルを示したＣＭＹＫ階調データへ変換する。この色変換部１１３では、入力ＲＧＢ階調データは１画素１色成分当たりの階調値を示した多値データであり、出力ＣＭＹＫ階調データも同様に１画素１色成分当たりの階調値を示した多値データである。そして、色変換部１１３から出力されるＣＭＹＫ階調データは画像処理ユニット１１５に入力される。
【００３２】
画像処理ユニット１１５（画像処理部）は、入力されるＣＭＹＫ階調データに対してハーフトーン処理を行う。第１実施形態におけるハーフトーン処理では、互いに隣接する複数の画素により構成されるセルを感光体表面（潜像担持体表面）に対して仮想的に複数配列する。そして、各セルに対して、ディザマトリックスにしたがってセルが有する複数の画像のうち階調値に応じた画素にのみスポット潜像形成および現像を行う。これにより、各セルに対して階調値に応じた微小ドットが形成されることとなる。つまり、第１実施形態におけるハーフトーン処理では、セル面積のうち微小ドットが占める面積の比率（微小ドット面積率）を階調値に応じて変化させて階調再現を実現している。そして、第１実施形態におけるハーフトーン処理では、次に詳述するように、セルの配列位置により対比するディザマトリックスを使い分けている。
【００３３】
図５は、第１実施形態での走査線と感光体２の表面（潜像担持体表面）との関係を示す図である。また、図６は、第１実施形態におけるハーフトーン処理において使用するディザマトリックスを示す図である。第１実施形態では、セルとして副走査方向Ｙに４画素で主走査方向Ｘに４画素の４行４列の４×４セルＣＬ44を用いることとする。図５に示すように、第１実施形態では、走査線の主走査方向Ｘにおける振幅中心ＡＣを幅中心として主走査方向Ｘに所定幅Ｗを有する領域を中央部ＣＰと定義するとともに、該中央部ＣＰ以外の領域を端部ＥＰと定義する。また、中央部ＣＰに配列される４×４セルＣＬ44を中央部セルと定義するとともに、端部ＥＰに配列される４×４セルＣＬ44を端部セルと定義する。そして、端部セルに対しては、図６（ａ）に示す第１マトリックスＭＴＸ44-Ｅ1（第１ディザマトリックス）を用いる一方、中央部セルに対しては、図６（ｂ）に示す第２マトリックス44-C1（第２ディザマトリックス）を用いる。図６に示すように、第１マトリックスＭＴＸ44-Ｅ1及び第２マトリックス44-C1は、いずれも４×４＝１６個の閾値を行方向に４個且つ列方向に４個の行列状に配列して構成される４行４列のの４×４マトリックスである。
【００３４】
このように定義された端部セルまたは中央部セルのＣＭＹＫ階調データと４×４マトリックスＭＴＸ44-E1または４×４マトリックスＭＴＸ44-C1の閾値とを１画素毎に比較する。そして、ＣＭＹＫ階調データが閾値以上である場合は、対応する画素に対してスポット潜像を形成するとともに該スポット潜像を現像して微小ドットを形成すると決定する。一方、ＣＭＹＫ階調データが閾値未満である場合は、対応する画素に対してスポット潜像形成および微小ドットの形成は行わないと決定する。
【００３５】
また、同図に示す第１マトリックスＭＴＸ44-E1，第２マトリックスＭＴＸ44-C1は、４×４＝１６個の閾値１〜１６を有している。したがって、０〜１６までの１７段階の階調が再現可能である。また、第１マトリックスＭＴＸ44-E1は、１６個の閾値のうち小さい方から数えて４番目の特定閾値４（第１特定閾値）以下の値を有する１〜４までの４個の閾値の全てが１行（奇数行）に配列されている。
【００３６】
第１実施形態では、上述の４×４マトリックスＭＴＸ44-E1，ＭＴＸ44-C1を用いたハーフトーン処理を全てのＣＭＹＫ階調データに対して実行する。そして、全ての画素の各々に対してスポット潜像形成・微小ドット形成を行うか否かを示すデータとしてハーフトーン階調データを求める。
【００３７】
再び図４に戻って説明を続ける。上述のようにして求められたハーフトーン階調データは、順方向ラインバッファ１１６Ａおよび逆方向ラインバッファ１１６Ｂに入力される。これらのラインバッファ１１６Ａ，１１６Ｂは画像処理ユニット１１５から出力されるハーフトーン階調データを走査線１ライン分だけ記憶するものである点で共通するが、階調データの読出し順序が相違する。すなわち、順方向ラインバッファ１１６Ａは走査線１ライン分のハーフトーン階調データを先頭から順方向に出力するものであるのに対し、逆方向ラインバッファ１１６Ｂは最後から逆方向に出力するものである。ここで、走査線とは、感光体表面（潜像担持体表面）を含む面における光ビームの軌跡の略中心線を指す。また、走査線１ライン分のハーフトーン階調データとは、１回の往路走査または復路走査の間に出力されるハーフトーン階調データを言う。このような２種類のラインバッファ１１６Ａ，１１６Ｂを設けた理由は次のとおりである。
【００３８】
上述した露光制御部１０２Ｙの光源駆動部は、パルス変調部１１７からのビデオ信号を受けて露光ユニット６Ｙのレーザー光源６２ＹをＯＮ／ＯＦＦ制御する。そして、かかるビデオ信号は、パルス変調部１１７によって、画像処理ユニット１１５から出力されるハーフトーン階調データを用いて、エンジン部ＥＧの各色画像の露光レーザーパルスをパルス幅変調するために作成されるものである。一方、上述の通り、第１実施形態では共振振動する偏向ミラー面６５１により光ビームを主走査方向Ｘに往復走査している。つまり、光ビームは、互いに走査方向が逆である往路と復路とを交互に往復走査されることとなる。したがって、パルス変調部１１７にハーフトーン階調データを入力するにあたっては、光ビームの走査方向の違いに応じてパルス変調部１１７に入力するハーフトーン階調データの入力順序を変える必要がある。そこで、第１実施形態では順方向ラインバッファ１１６Ａと逆方向ラインバッファ１１６Ｂとを設けている。
【００３９】
そして、こうして出力されるハーフトーン階調データは方向切換部１１６Ｃに入力され、方向切換信号に基づき、一方のラインバッファから出力されるハーフトーン階調データのみが適当なタイミングで方向切換部１１６Ｃからパルス変調部１１７に出力される。つまり、光ビームが順方向に走査される際には、方向切換信号として順方向信号が方向切換部１１６Ｃに与えられ、順方向ラインバッファ１１６Ａからのハーフトーン階調データがパルス変調部１１７へ向けて出力される。一方、光ビームが逆方向に走査される際には、方向切換信号として逆方向信号が方向切換部１１６Ｃに与えられ、逆方向ラインバッファ１１６Ａからのハーフトーン階調データがパルス変調部１１７へ向けて出力される。そして、このようにパルス変調部１１７に入力されたハーフトーン階調データはビデオ信号に変換された後、図示を省略するビデオインターフェイスを介してエンジンコントローラ１０に出力される。
【００４０】
上述のビデオ信号を受けた露光制御部１０２Ｙの光源駆動部（図示省略）は、露光ユニット６（潜像形成部）のレーザー光源６２ＹをＯＮ／ＯＦＦ制御する。そして、レーザー光源からの光ビームが走査されるとともに、該光ビームが感光体表面にスポット状に照射されてスポット潜像が形成される。さらに、このように形成された静電潜像が現像ユニット４（現像部）により現像されて各画素に対して微小ドットが形成される。
【００４１】
上述したように、第１実施形態では、端部セルと中央部セルとでディザマトリックスを使い分けているとともに、端部セルに対しては第１マトリックスＭＴＸ44-E1（図６（ａ））を用いてハーフトーン処理を実行する。また、第１マトリックスＭＴＸ44-E1は、１６個の閾値のうち小さい方から数えて４番目の特定閾値４（第１特定閾値）以下の値を有する１〜４までの４個の閾値の全てが１行（奇数行）に配列されている。したがって、振動する偏向ミラー面により光ビームを往復走査させる画像形成装置における低濃度領域での画像弊害の発生を防止することができる。この理由について次に説明する。
【００４２】
第１実施形態においては、感光体表面（潜像担持体表面）に振動する偏向ミラー面６５１によって光ビームを主走査方向Ｘに往復走査させるとともに、該感光体表面（潜像担持体表面）は副走査方向Ｙに駆動されている。従って、感光体表面（潜像担持体表面）に対して走査線は図５に示す一点鎖線のようになる。まず、走査ピッチの副走査方向Ｙおける変動に注目すると、同図の左端部及び右端部のいずれにおいても、狭い走査ピッチ（狭ピッチ）と広い走査ピッチ（広ピッチ）とが交互に現れる。次に、走査ピッチの主走査方向Ｘにおける変動に注目する。ここで、同図中の主走査方向Ｘに伸びる矢印Drに注目すると、同図の左端部では広ピッチである走査ピッチが矢印Dr方向に進むに連れて狭くなっていき、同図の右端部では狭ピッチとなる。したがって、従来から用いられているディザマトリックスを用いたハーフトーン処理では、次に示すような画像弊害が低濃度領域で発生する場合がある。
【００４３】
説明の簡単のため、端部セルと中央部セルでディザマトリックスを切換えずに全ての４×４セルに対して４×４マトリックスＭＴＸ44-C1を用いて階調値２の画像を、主走査方向Ｘの両端（つまり、図５中の左端部と右端部）に形成する場合を考える。この場合、４×４マトリックスＭＴＸ44-C1の閾値１，２に対応する画素に対してスポット潜像が形成されるとともに、該スポット潜像が現像されて微小ドットが形成される。
【００４４】
図７は、本発明の課題の説明図であり、上述の様子を具体的に示した図である。ここで、図７の左右に並ぶ４×４セル（図７中の破線）は、それらの副走査方向Ｙにおける位置は同じであるとともに、図５または７の左右に伸びる主走査方向Ｘにおいて、一方は左端部に他方は右端部に位置する４×４セルＣＬ44（端部セル）にそれぞれ対応する。感光体表面（潜像担持体表面）を走査する走査線（図７中の１点鎖線）には、図５を用いて説明したような性質があるため、左端部のセルを構成する画素を走査する走査線の走査ピッチが、副走査方向Ｙに向いて「狭ピッチ」「広ピッチ」「狭ピッチ」の順に並んでいる場合、右端部のセルを構成する画素を走査する走査線間の走査ピッチは、副走査方向Ｙに向いて「広ピッチ」「狭ピッチ」「広ピッチ」の順に並ぶこととなる。よって、図７の「潜像形成」欄に示すように、副走査方向Ｙに互いに隣接する２つの画素に対してスポット潜像を形成した場合、左端部では２つのスポット潜像の重なりが比較的小さい一方、右端部では２つのスポット潜像の重なりが比較的大きい。そして、このようなスポット潜像を現像することで、図７の「微小ドット形成」欄に示すような微小ドットが得られる。「微小ドット形成」欄に示すように、スポット潜像の重なりに応じて、左端部のセルでは微小ドット面積率が比較的高い一方、右端部のセルでは微小ドット面積率が比較的低くなる。その結果、同じ階調値を有するトナー像を形成しようとしているにもかかわらず、左右それぞれに形成されるトナー像間で濃度差ができるという画像弊害が発生する場合がある。そして、このような画像弊害は、特に低濃度領域での階調再現に大きな影響を及ぼす。
【００４５】
これに対して本発明では、端部セルと中央部セルとでディザマトリックスを使い分けているとともに、端部セルに対しては第１マトリックスＭＴＸ44-E1（図６（ａ））を用いてハーフトーン処理を実行する。そして、第１ディザマトリックスＭＴＸ44-E1の有する４×４＝１６個の閾値のうち小さい方から数えて４番目の特定閾値４（第１特定閾値）以下の値を有する１〜４の４個の閾値の全てが、１行（奇数行）にのみある。よって、特定閾値４以下の階調値に対応するトナー像を形成するために感光体表面（潜像担持体表面）に形成されるスポット潜像は、両端部（左端部と右端部）のいずれにおいても副走査方向Ｙに互いに隣接することが無い。よって、上述したような副走査方向Ｙに隣接するスポット潜像の重なりの程度が、左端部と右端部とで異なることに起因した画像弊害の発生を、少なくとも特定閾値４以下の階調値に対応する低濃度領域については防止することが可能となる。よって、良好な階調再現を実現することが可能となる。
【００４６】
＜第２実施形態＞
図８は、本発明にかかる画像形成装置の第２実施形態において使用するディザマトリクスを示す図である。第２実施形態では、端部セルに対して第１マトリックスＭＴＸ44-E2（図８（ａ））を用いるとともに、中央部セルに対しては第２マトリックスＭＴＸ44-C2（図８（ｂ））を用いる。第１マトリックスＭＴＸ44-Ｅ2，第２マトリックスＭＴＸ44-C2は、副走査方向Ｙに４画素で主走査方向Ｘに４画素のセルＣＬ44に対応する４×４マトリックスであるという点では、第１実施形態で用いた第１マトリックスＭＴＸ44-E1，第２マトリックスＭＴＸ44-C1と共通するが、閾値の配置が異なっている。
【００４７】
第２マトリックスＭＴＸ44-C1（第２ディザマトリックス）では、４×４＝１６個の閾値のうち小さい方から数えて２番目の特定閾値２（第２特定閾値）以下の値を有する閾値１，２が２行目（偶数行目）に配置されている。また、第１マトリックスＭＴＸ44-E2（第１ディザマトリックス）では、閾値１，２は２行目に配置されるとともに、閾値３，４は４行目に配列されている。つまり、第１ディザマトリックスＭＴＸ44-E2の有する４×４＝１６個の閾値のうち小さい方から数えて４番目の特定閾値４（第１特定閾値）以下の値を有する１〜４の４個の閾値の全てが、２行または４行の偶数行にのみある。よって、第１実施形態と同様に第２実施形態においても、特定閾値４（第１特定閾値）以下の階調値に対応するトナー像を形成するために感光体表面（潜像担持体表面）に形成されるスポット潜像は、両端部（左端部と右端部）のいずれにおいても副走査方向Ｙに互いに隣接することが無い。よって、上述したような副走査方向Ｙに隣接するスポット潜像の重なりの程度が、左端部と右端部とで異なることに起因した画像弊害の発生を、少なくとも特定閾値４（第１特定閾値）以下の階調値に対応する低濃度領域については防止することが可能となる。よって、良好な階調再現を実現することが可能となる。
【００４８】
＜その他＞
なお、本発明は上述した実施形態に限定されるものではなく、その趣旨を逸脱しない限りにおいて上述したもの以外に種々の変更を行うことが可能である。上記実施形態では、端部セルに対して用いるディザマトリックス（第１ディザマトリックス）として、第１マトリックスＭＴＸ44-E1，ＭＴＸ44-E2を用いて説明したが、本発明において端部セルに対して使用可能なディザマトリックスはこれに限られるものではなく、例えば図９〜１１に示すディザマトリックスを使用可能である。
【００４９】
図９は、本発明において端部セルに対して使用可能な第１マトリックスＭＴＸ44-E3（第１ディザマトリックス）を示す図である。第１マトリックスＭＴＸ44-E3では、閾値１，２，５，６は２行目に配置されるとともに、閾値３，４，７，８は４行目に配列されている。つまり、４×４マトリックスである第１マトリックスＭＴＸ44-E3の有する４×４＝１６個の閾値のうち小さい方から数えて８番目の特定閾値８（第１特定閾値）以下の値を有する１〜８の８個の閾値の全てが、２行または４行の偶数行にのみある。よって、特定閾値８（第１特定閾値）以下の階調値に対応するトナー像を形成するために感光体表面（潜像担持体表面）に形成されるスポット潜像は、両端部（左端部と右端部）のいずれにおいても副走査方向Ｙに互いに隣接することが無い。よって、上述したような副走査方向Ｙに隣接するスポット潜像の重なりの程度が、左端部と右端部とで異なることに起因した画像弊害の発生を、少なくとも特定閾値８（第１特定閾値）以下の階調値に対応する低濃度領域については防止することが可能となる。よって、良好な階調再現を実現することが可能となる。
【００５０】
図１０は、本発明において使用可能な第１マトリックスＭＴＸ44-E4（第１ディザマトリックス）を示す図である。第１マトリックスＭＴＸ44-E4では、４×４マトリックスである第１マトリックスＭＴＸ44-E4の有する４×４＝１６個の閾値のうち小さい方から数えて８番目の特定閾値８．５（第１特定閾値）以下の値を有する０．９〜８．５の８個の閾値の全てが、１行または３行の奇数行にのみある。よって、特定閾値８．５（第１特定閾値）以下の階調値に対応するトナー像を形成するために感光体表面（潜像担持体表面）に形成されるスポット潜像は、両端部（左端部と右端部）のいずれにおいても副走査方向Ｙに互いに隣接することが無い。よって、上述したような副走査方向Ｙに隣接するスポット潜像の重なりの程度が、左端部と右端部とで異なることに起因した画像弊害の発生を、少なくとも特定閾値８．５（第１特定閾値）以下の階調値に対応する低濃度領域については防止することが可能となる。よって、良好な階調再現を実現することが可能となる。
【００５１】
図１１は、本発明において使用可能な第１マトリックスＭＴＸ44-E5（第１ディザマトリックス）を示す図である。第１マトリックスＭＴＸ44-E5では、４×４マトリックスである第１マトリックスＭＴＸ44-E5の有する４×４＝１６個の閾値のうち小さい方から数えて６番目の特定閾値６（第１特定閾値）以下の値を有する１〜６の６個の閾値の全てが、１行または３行の奇数行にのみある。よって、特定閾値６（第１特定閾値）以下の階調値に対応するトナー像を形成するために感光体表面（潜像担持体表面）に形成されるスポット潜像は、両端部（左端部と右端部）のいずれにおいても副走査方向Ｙに互いに隣接することが無い。よって、上述したような副走査方向Ｙに隣接するスポット潜像の重なりの程度が、左端部と右端部とで異なることに起因した画像弊害の発生を、少なくとも特定閾値６（第１特定閾値）以下の階調値に対応する低濃度領域については防止することが可能となる。よって、良好な階調再現を実現することが可能となる。
【００５２】
また、上記実施形態では、ディザマトリックスとして副走査方向に４画素で主走査方向に４画素の４×４セルＣＬ44に対応する４×４ディザマトリックスを用いたが、ディザマトリックスの形状または大きさはこれに限られるものではなく、要求される階調分解能や解像度に応じて変更可能である。例えば図１２，１３に示すディザマトリックスを使用可能である。
【００５３】
図１２は、本発明において使用可能な第１マトリックスＭＴＸ64-E1（図１２（ａ）及び第２マトリックスＭＴＸ64-C1（図１２（ｂ））を示す図である。第１マトリックスＭＴＸ64-E1（第１ディザマトリックス），第２マトリックスＭＴＸ64-C1（第２ディザマトリックス）は、副走査方向Ｙに６画素で主走査方向Ｘに４画素の６行４列の６×４セルＣＬ64に対応する６×４ディザマトリックスである。したがって、６×４マトリックスＭＴＸ64-E1，ＭＴＸ61-C1を用いたハーフトーン処理では、０〜２４までの階調を再現可能である。また、端部セルに対しては第１マトリックスＭＴＸ64-E1を用いるとともに、中央部セルに対しては第２マトリックスＭＴＸ64-C1を用いる。該第２マトリックスＭＴＸ64-C1では、４×４＝１６個の閾値のうち小さい方から数えて２番目の特定閾値２（第２特定閾値）以下の値を有する閾値１，２が３行（奇数行）にのみある。
【００５４】
端部セルに対して用いられる第１マトリックスＭＴＸ64-E1では、該第１マトリックスＭＴＸ64-E1の有する６×４＝２４個の閾値のうち小さい方から数えて４番目の特定閾値４（第１特定閾値）以下の値を有する１〜４の４個の閾値の全てが、１行（奇数行）にのみある。よって、特定閾値４（第１特定閾値）以下の階調値に対応するトナー像を形成するために感光体表面（潜像担持体表面）に形成されるスポット潜像は、両端部（左端部と右端部）のいずれにおいても副走査方向Ｙに互いに隣接することが無い。よって、上述したような副走査方向Ｙに隣接するスポット潜像の重なりの程度が、左端部と右端部とで異なることに起因した画像弊害の発生を、少なくとも特定閾値４（第１特定閾値）以下の階調値に対応する低濃度領域については防止することが可能となる。よって、良好な階調再現を実現することが可能となる。
【００５５】
図１３は、本発明において端部セルに対して使用可能な第１マトリックスＭＴＸ64-Ｅ2（第１ディザマトリックス）を示す図である。第１マトリックスＭＴＸ64-Ｅ2では、６×４マトリックスＭＴＸ64-Ｅ2の有する６×４＝２４個の閾値のうち小さい方から数えて１２番目の特定閾値１２（第１特定閾値）以下の値を有する１〜１２の１２個の閾値の全てが、１，３，５行の奇数行にのみある。よって、特定閾値１２（第１特定閾値）以下の階調値に対応するトナー像を形成するために感光体表面（潜像担持体表面）に形成されるスポット潜像は、両端部（左端部と右端部）のいずれにおいても副走査方向Ｙに互いに隣接することが無い。よって、上述したような副走査方向Ｙに隣接するスポット潜像の重なりの程度が、左端部と右端部とで異なることに起因した画像弊害の発生を、少なくとも特定閾値１２（第１特定閾値）以下の階調値に対応する低濃度領域については防止することが可能となる。よって、良好な階調再現を実現することが可能となる。
【００５６】
また、上記実施形態では、１つの感光体２（潜像担持体）に対して１つの露光ユニット６を設けて潜像形成を実行していたが、例えば、特開２００３−１３１１５４号公報に示すように、１つの感光体２（潜像担持体）に対して複数の露光ユニット６を設けて潜像形成を実行する画像形成装置に対しても本発明を適用可能である。
【００５７】
図１４は、１つの感光体２に対して露光ユニット６を３つ用いて潜像形成を実行する装置の模式図である。該装置においては、感光体２に対向する３つの露光ユニット３が主走査方向Ｘに配列されている。そして、３つの露光ユニット６は、感光体２の表面（潜像担持体表面）の第１走査領域、第２走査領域、第３走査領域に対して光ビームを照射してスポット潜像を形成する。なお、露光ユニット６としては、図３に示したような振動する偏向ミラー面６５１により光ビームを走査する露光ユニットを用いるものとする。
【００５８】
図１５は、１つの感光体２に対して露光ユニット６を３つ用いて潜像形成を実行する場合の動作を示す図である。３つの露光ユニット６は、それぞれ感光体２（潜像担持体）の表面の第１走査領域、第２走査領域、第３走査領域に対して光ビームを主走査方向Ｘに往復走査する。また、感光体２の表面は副走査方向Ｙに駆動されている。よって、感光体２の表面（潜像担持体表面）を含む面における光ビームの軌跡の略中心線である走査線は、同図の１点鎖線のようになる。但し、図示の簡便のため第１走査領域における走査線のみを示したが、他の第２・第３走査領域においても同様に走査線を定義できる。また、同図中において第１走査領域における走査線は、該第１走査領域を主走査方向Ｘにはみ出して記載されているが、実際に該走査線がスポット潜像を形成する領域は第１走査領域のみである。
【００５９】
同図に示すように、３つの露光ユニット６によって光ビームを感光体２の表面に走査する場合においても、図５を用いて説明した場合と同様に、両端部において「広ピッチ」と「狭ピッチ」が交互に現れる。したがって、図７を用いて説明した場合と同様に、副走査方向Ｙに隣接するスポット潜像の重なりの程度が、左端部と右端部とで異なることに起因した画像弊害が発生する。
【００６０】
そこで、このような複数の露光ユニット６を用いて感光体２の表面を走査する装置においても、本発明を適用しても良い。つまり、同図に示すように、第１〜３走査領域のそれぞれにおいて、走査線の主走査方向Ｘにおける振幅中心ＡＣを幅中心として主走査方向Ｘに所定幅Ｗを有する領域を中央部ＣＰと定義するとともに、該中央部ＣＰ以外の領域を端部ＥＰと定義する。また、中央部ＣＰに配列されるセルを中央部セルと定義するとともに、端部ＥＰに配列されるセルを端部セルと定義する。そして、端部セルに対しては、上述してきたような第１マトリックスＭＴＸ44-Ｅ1や第１マトリックスＭＴＸ64-Ｅ1等の第１ディザマトリックスを用いる一方、中央部セルに対しては、第２マトリックスＭＴＸ44-C1や第２マトリックスＭＴＸ64-C1等の第２ディザマトリックスをてハーフトーン処理を実行しても良い。このようにハーフトーン処理を実行した場合、副走査方向Ｙに隣接するスポット潜像の重なりの程度が、左端部と右端部とで異なることに起因した画像弊害の発生を、低濃度領域について防止することが可能となる。よって、良好な階調再現を実現することが可能となり好適である。
【００６１】
また、上記実施形態では第２ディザマトリックスとして第２マトリックスＭＴＸ44-C1や第２マトリックスＭＴＸ64-C1等を用いているが、第２ディザマトリックスとして使用可能なマトリックスはこれらに限られるものでは無い。
【００６２】
また、上記実施形態では、カラー画像を形成する画像形成装置を用いて説明したが、単色印字のみを行う画像形成装置においても本発明を適用可能である。
【図面の簡単な説明】
【００６３】
【図１】本発明にかかる画像形成装置の一実施形態を示す図。
【図２】図１の画像形成装置の電気的構成を示すブロック図。
【図３】図１の画像形成装置における露光ユニットの構成を示す主走査断面図。
【図４】図１の画像形成装置における信号処理ブロックを示す図。
【図５】第１実施形態での走査線と潜像担持体表面との関係を示す図。
【図６】第１実施形態において使用するディザマトリックスを示す図。
【図７】本発明の課題の説明図。
【図８】第２実施形態において使用するディザマトリクスを示す図。
【図９】本発明において使用可能なディザマトリックスの一例を示す図。
【図１０】本発明に使用可能なディザマトリックスの一例を示す図。
【図１１】本発明に使用可能なディザマトリックスの一例を示す図。
【図１２】本発明に使用可能なディザマトリックスの一例を示す図。
【図１３】本発明に使用可能なディザマトリックスの一例を示す図。
【図１４】本発明を適用可能な他の装置の構成を示す模式図。
【図１５】図１４に示す装置における潜像形成動作を示す図。
【符号の説明】
【００６４】
２Ｙ，２Ｍ，２Ｃ，２Ｋ…感光体（潜像担持体）、  ４，４Ｙ，４Ｍ，４Ｃ，４Ｋ…現像ユニット（現像部）、  ６，６Ｙ，６Ｍ，６Ｃ，６Ｋ…露光ユニット（潜像形成部）、  ６０…水平同期センサ、  ６２…レーザー光源、  ７１…中間転写ベルト、  ６５１…偏向ミラー面、  Ｌy，Ｌm，Ｌc，Ｌk…走査光ビーム、  １１…メインコントローラ、  １１５…画像処理ユニット、  ＣＭＹＫ…ＣＭＹＫ階調データ、  Ｘ…主走査方向、  Ｙ…副走査方向、  ＭＴＸ44-E1，ＭＴＸ44-E2，ＭＴＸ44-E3，ＭＴＸ44-E4，ＭＴＸ44-E5，ＭＴＸ44-C1，ＭＴＸ44-C2，ＭＴＸ64-E1，ＭＴＸ64-E2…ディザマトリックス、  ＣＬ44…セル、  Ｗ…所定幅、  ＡＣ…振幅中心、  ＣＰ…中央部、  ＥＰ…端部
【図１】
0004848747.tif 000002
【図２】
0004848747.tif 000003
【図３】
0004848747.tif 000004
【図４】
0004848747.tif 000005
【図５】
0004848747.tif 000006
【図６】
0004848747.tif 000007
【図７】
0004848747.tif 000008
【図８】
0004848747.tif 000009
【図９】
0004848747.tif 000010
【図１０】
0004848747.tif 000011
【図１１】
0004848747.tif 000012
【図１２】
0004848747.tif 000013
【図１３】
0004848747.tif 000014
【図１４】
0004848747.tif 000015
【図１５】
0004848747.tif 000016